(57)【特許請求の範囲】
【請求項１】
ガスコンロの本体および付属品を包装する包装装置において、
矩形状の底面シートと、該底面シートに連接されて所定の面剛性を有する４つの側面シートと、該４つの側面シートのうちの１つの側面シートに連接された可撓性の上面シートと、リユース可能な材料で形成されて前記付属品を保持するための保持部材と、前記ガスコンロの本体および付属品を包装すべき立体的な形状を形成するために前記４つの側面シートと前記上面シートとを局所的に仮留めするための仮留め部材と、前記底面シート、前記側面シートまたは前記上面シートに対して前記保持部材を局所的に仮留めするための第２仮留め部材とを備え、
前記底面シートと前記４つの側面シートと前記上面シートとは、リユース可能な材料で形成されて平面状に展開可能であり、
前記４つの側面シートのうちの対向する一対の側面シートには、前記包装装置を抱え持つ際に手を掛けるための手掛け部が設けられ、
前記上面シートは透明または半透明に形成され、
前記側面シートまたは前記上面シートの外側面には、伝票または指示書を入れるための透明なポケットが設けられ、
前記底面シートおよび前記４つの側面シートの内側面には、前記ガスコンロの本体および付属品に伝わる衝撃を和らげるための緩衝部材が設けられ、
前記ガスコンロの本体および付属品の包装状態において、前記付属品が取付け保持された前記保持部材は前記ガスコンロの本体と前記上面シートとの間に位置決めされることを特徴とする包装装置。
【発明の詳細な説明】
【０００１】
【発明の属する技術分野】
本発明は、包装装置に関し、特にシステムキッチンのコンロの包装に関するものである。
【０００２】
【従来の技術】
従来、たとえばシステムキッチンのコンロや換気フードなどを現場等へ搬送する場合、発泡スチロールや厚紙などの緩衝ブロックを物品の要所にあてがい、段ボール製の外装材や粘着テープやステープルやＰＰバンドなどを用いて包装していた。
【０００３】
【発明が解決しようとする課題】
近年、環境問題がクローズアップされ、資源の有効利用、ゴミの削減等の観点から住宅設備機器の設置後の梱包処理に有効な対応策が求められている。しかしながら、上述のように、従来技術では、段ボール製の外装材や粘着テープなどを用いて物品を包装しているため、現場で開梱した後、外装材や粘着テープなどが廃棄され、再度使用（リユース）されることはない。また、従来技術では、作業者が両手を用いて外装材や粘着テープなどを扱う必要があり、梱包作業が容易ではない。さらに、緩衝ブロックとなる発泡スチロールや厚紙などを機種ごとに設計し、その強度を検証しなければならず、コスト高の要因となっていた。
【０００４】
本発明は、前述の課題に鑑みてなされたものであり、多数回に亘ってリユースすることができ、且つ梱包設計を省力化し梱包作業も容易に行うことのできる包装装置を提供することを目的とする。
【０００５】
【課題を解決するための手段】
前記課題を解決するために、本発明では、ガスコンロの本体および付属品を包装する包装装置において、
矩形状の底面シートと、該底面シートに連接されて所定の面剛性を有する４つの側面シートと、該４つの側面シートのうちの１つの側面シートに連接された可撓性の上面シートと、リユース可能な材料で形成されて前記付属品を保持するための保持部材と、前記ガスコンロの本体および付属品を包装すべき立体的な形状を形成するために前記４つの側面シートと前記上面シートとを局所的に仮留めするための仮留め部材と、前記底面シート、前記側面シートまたは前記上面シートに対して前記保持部材を局所的に仮留めするための第２仮留め部材とを備え、
前記底面シートと前記４つの側面シートと前記上面シートとは、リユース可能な材料で形成されて平面状に展開可能であり、
前記４つの側面シートのうちの対向する一対の側面シートには、前記包装装置を抱え持つ際に手を掛けるための手掛け部が設けられ、
前記上面シートは透明または半透明に形成され、
前記側面シートまたは前記上面シートの外側面には、伝票または指示書を入れるための透明なポケットが設けられ、
前記底面シートおよび前記４つの側面シートの内側面には、前記ガスコンロの本体および付属品に伝わる衝撃を和らげるための緩衝部材が設けられ、
前記ガスコンロの本体および付属品の包装状態において、前記付属品が取付け保持された前記保持部材は前記ガスコンロの本体と前記上面シートとの間に位置決めされることを特徴とする包装装置を提供する。
【０００８】
【発明の実施の形態】
本発明では、矩形状の底面シートと、底面シートに連接されて所定の面剛性を有する４つの側面シートと、４つの側面シートのうちの１つの側面シートに連接された可撓性の上面シートとを、たとえばマジックテープ（登録商標）のような仮留め部材の作用により局所的に仮留めすることにより、物品を包装すべき立体的な形状を形成する。なお、底面シートと４つの側面シートと上面シートとは、リユース可能な材料で形成されて平面状に展開可能である。したがって、本発明の包装装置では、多数回に亘ってリユースすることができ、梱包設計を省力化し、梱包作業を容易に行うことができ、ひいては開梱作業も容易に行うことができる。
【０００９】
また、本発明では、たとえばコンロのように本体と付属品とから構成される物品の場合、リユース可能な材料で形成された保持部材を用いて付属品を保持することにより、梱包作業を容易に行うことができ、ひいては開梱作業も容易に行うことができる。この場合、たとえばマジックテープのような仮留め部材の作用により、底面シート、側面シートまたは上面シートに対して保持部材を局所的に仮留めすることにより、安定的な搬送作業を行うことができる。
【００１０】
さらに、本発明では、４つの側面シートのうちの対向する一対の側面シートに手掛け部を設けることにより、手掛け部に手を掛けて包装装置を抱え持つことができ、梱包物の取り扱いが容易になる。また、本発明では、底面シート、４つの側面シートおよび上面シートの内側面に緩衝部材を設けることにより、物品に伝わる衝撃を和らげることができ、ひいては物品を安全に搬送することができる。
【００１１】
また、本発明では、たとえばＰＥ（ポリエチレン）のようなリサイクル可能な樹脂材料で可撓性の上面シートを形成し、たとえばＰＰ（ポリプロピレン）のようなリサイクル可能な樹脂材料で面剛性を有する側面シートを形成することにより、いわゆる自然にやさしいリサイクル可能な包装装置を実現することができる。さらに、本発明では、上面シートの少なくとも一部を透明または半透明に形成することにより、梱包後にも中身を目視で確認することができる。
【００１２】
本発明の実施形態を、添付図面に基づいて説明する。
図１は、本発明の第１実施形態にかかる包装装置の平面状に展開された状態を示す図である。また、図２は、第１実施形態の包装装置においてコンロの付属品を取付け保持するための保持部材の構成を概略的に示す図である。さらに、図３は、図２の保持部材の使用態様を説明する図である。
【００１３】
また、図４は、第１実施形態の包装装置における梱包作業を説明する図である。さらに、図５は、第１実施形態の包装装置を用いて梱包が終了する直前の状態を示す図である。また、図６は、第１実施形態の包装装置を用いて梱包が終了した状態を示す図である。なお、第１実施形態では、ガスコンロの包装に対して本発明を適用している。
【００１４】
図１（ａ）を参照すると、第１実施形態の包装装置は、矩形状の底面シート１と、底面シート１の４辺に連接されて所定の面剛性を有する４つの矩形状の側面シート２〜５と、側面シート２に連接された可撓性で矩形状の上面シート６とを備えている。ここで、面剛性を有する４つの側面シート２〜５は、たとえばＰＰ（ポリプロピレン）で形成されている。また、可撓性の上面シート６は、たとえばＰＥ（ポリエチレン）で形成され且つ透明または半透明に形成されている。
【００１５】
なお、底面シート１は、たとえばＰＰで形成されて面剛性を有するシートであってもよいし、たとえばＰＥで形成された可撓性のシートであってもよい。また、底面シート１が上面シート６と同様にＰＥで形成された可撓性のシートの場合、透明または半透明に形成されていてもよいし、非透明に形成されていてもよい。いずれにしても、底面シート１と側面シート２〜５と上面シート６とは、たとえばＰＰやＰＥのようなリユース可能な材料で形成されて平面状に展開可能である。
【００１６】
また、第１実施形態の包装装置では、互いに対向する側面シート２および側面シート３の内側面（図１（ａ）の紙面の表側）の両端には、マジックテープの一方の面を構成するテープ面２ａ，２ｂ，３ａ，３ｂが形成されている。また、互いに対向する側面シート４および側面シート５の外側面（図１（ａ）の紙面の裏側）の両端には、マジックテープの他方の面を構成するテープ面４ａ，４ｂ，５ａ，５ｂが形成されている。後述するように、包装に際してテープ面２ａと４ａと、２ｂと５ａと、３ａと４ｂと、３ｂと５ｂとがそれぞれ当接係合する。
【００１７】
さらに、第１実施形態の包装装置では、上面シート６の内側面の上端および両端には、マジックテープの一方の面を構成するテープ面６ａ〜６ｄが形成されている。一方、側面シート３の外側面のほぼ中央には、マジックテープの他方の面を構成するテープ面３ｃおよび３ｄが形成されている。側面シート４および側面シート５の外側面の上端には、マジックテープの他方の面を構成するテープ面４ｃおよび５ｃがそれぞれ形成されている。後述するように、包装に際してテープ面６ａと３ｃと、６ｂと３ｄと、６ｃと４ｃと、６ｄと５ｃとがそれぞれ当接係合する。
【００１８】
また、第１実施形態の包装装置では、側面シート４および側面シート５の内側面の上端には、マジックテープの一方の面を構成するテープ面４ｄおよび５ｄがそれぞれ形成されている。なお、テープ面４ｄおよび５ｄの作用については後述する。また、側面シート４および側面シート５の外側面のほぼ中央には、包装装置を抱え持つ際に手を掛けるための手掛け部７ａおよび７ｂが設けられている。さらに、図１（ａ）における線Ｘに沿った断面図である図１（ｂ）に示すように、底面シート１、側面シート２〜５および上面シート６の内側面には、クッション性を有する適当な材料で形成された緩衝部材８が設けられている。
【００１９】
図２および図３を参照すると、第１実施形態の包装装置は、コンロ本体の付属品、たとえば五徳やバーナーキャップや排気口カバーや乾電池などを取付け保持するための保持部材１０を備えている。具体的には、保持部材１０は、五徳を位置決めするためのコーナー部１０ａおよび１０ｂや、コーナー部１０ａおよび１０ｂの作用により位置決めされた五徳を押え保持するための押え部１０ｃ〜１０ｅや、バーナーキャップを収容するためのポケット１０ｆ〜１０ｈなどを有する。
【００２０】
なお、押え部１０ｃ〜１０ｅは、可撓性の帯状部材であるが、その先端に設けられたテープ面を介したマジックテープの作用により押え部材として機能するように構成されている。また、保持部材１０の両端には、マジックテープの他方の面を構成するテープ面１０ｊおよび１０ｋが形成されている。後述するように、包装に際してテープ面１０ｊと４ｄと、１０ｋと５ｄとがそれぞれ当接係合する。保持部材１０は、その本体部分がＰＰのようなリユース可能で且つリサイクル可能な材料で形成され、側面シート４および５に対して局所的に仮留めされるように構成されている。
【００２１】
図４を参照すると、第１実施形態の包装装置では、底面シート１の上にコンロ本体１１を載置する。また、五徳１２ａおよび１２ｂを含む付属品が取付け保持された保持部材１０をコンロ本体１１の上に載置する。次いで、コンロ本体１１を包囲するように、側面シート２〜５を立ち上げる。このとき、側面シート２には上面シート１が連接しているが、上面シート１が可撓性であるため側面シート２の立ち上げを容易に行うことができる。
【００２２】
そして、保持部材１０のテープ面１０ｊを側面シート４のテープ面４ｄに当接係合させるとともに、保持部材１０のテープ面１０ｋを側面シート５のテープ面５ｄに当接係合させることにより、保持部材１０を側面シート４および５に対して局所的に仮留めする。また、側面シート２〜５の間で、テープ面２ａと４ａと、２ｂと５ａと、３ａと４ｂと、３ｂと５ｂとをそれぞれ当接係合させることにより、図５に示す状態が得られる。
【００２３】
最後に、五徳１２ａおよび１２ｂを含む付属品が取付け保持された保持部材１０を可撓性の上面シート６で覆うように、上面シート６と側面シート３〜５との間で、テープ面６ｃと４ｃと、６ｄと５ｃと、６ａと３ｃと、６ｂと３ｄとをそれぞれ当接係合させることにより、図６に示す最終的な梱包状態が得られる。
【００２４】
以上のように、第１実施形態では、底面シート１と、底面シート１に連接されて所定の面剛性を有する側面シート２〜５と、側面シート２に連接された可撓性の上面シート１とを、たとえばマジックテープのような仮留め部材の作用により局所的に仮留めすることにより、コンロを包装すべき立体的な形状を形成している。なお、底面シート１と側面シート２〜５と上面シート１とは、たとえばＰＰやＰＥのようなリユース可能な材料で形成されて平面状に展開可能である。
【００２５】
したがって、第１実施形態の包装装置では、多数回に亘ってリユースすることができ、たとえば片手でマジックテープを順次機能させるだけで、梱包作業を容易に行うことができ、ひいては開梱作業も容易に行うことができる。また、不使用時には、たとえば側面シート２〜５を底面シート１に対して折り畳んだ後に、これらのシート１〜５に上面シート６を巻き付けることにより、包装装置を小さく折り畳むことができる。さらに、側面シート２〜５が所定の面剛性を有するので、場合によっては、複数の梱包物を縦積みすることもできる。
【００２６】
また、第１実施形態では、コンロの付属品である五徳１２ａおよび１２ｂなどがリユース可能な材料で形成された保持部材１０に取付け保持されるとともに、付属品の取付け保持された保持部材１０が仮留め部材としてのマジックテープの作用により、側面シート４および５に局所的に仮留めされている。その結果、それぞれ複雑な形態を有する付属品を保持部材１０の所定位置にそれぞれ取り付けるだけで、梱包作業を容易に行うことができ、ひいては開梱作業も容易に行うことができるとともに、安定的な搬送作業を行うことができる。
【００２７】
さらに、第１実施形態では、対向する一対の側面シート４および５に手掛け部７ａおよび７ｂがそれぞれ設けられているので、手掛け部７ａおよび７ｂに手を掛けて包装装置を抱え持つことができ、梱包物の取り扱いが容易になる。また、第１実施形態では、底面シート１、側面シート２〜５および上面シート６の内側面に緩衝部材８が設けられているので、コンロ本体１１および付属品に伝わる衝撃を和らげることができ、ひいてはコンロ本体１１および付属品を安全に搬送することができる。
【００２８】
また、第１実施形態では、ＰＥやＰＰのようなリサイクル可能な樹脂材料で可撓性の上面シート６や面剛性を有する側面シート２〜５などを形成しているので、いわゆる自然にやさしいリサイクル可能な包装装置が実現される。さらに、第１実施形態では、上面シート６を透明または半透明に形成しているので、梱包後にも中身を目視で確認することができる。また、底面シート１以外の適当なシートの外側面に、伝票や指示書などを入れるための透明なポケットを設けることが好ましい。
【００２９】
図７は、本発明の第２実施形態にかかる包装装置の平面状に展開された状態を示す図である。また、図８は、第２実施形態の包装装置における梱包作業を説明する図である。さらに、図９は、第２実施形態の包装装置を用いて梱包が終了した状態を示す図である。なお、第２実施形態では、換気フードの包装に対して本発明を適用している。
【００３０】
第２実施形態は、第１実施形態と類似の構成を有する。しかしながら、第２実施形態において包装すべき物品である換気フードには付属品がないため、第２実施形態の包装装置は付属品を取付け保持するための保持部材を備えていない点だけが第１実施形態と基本的に相違している。したがって、図７を参照すると、第１実施形態において保持部材１０と係合すべきテープ面４ｄおよび５ｄに対応するテープ面が第２実施形態では設けられていない。
【００３１】
こうして、第２実施形態では、底面シート１の上に換気フード１３を載置した後に、図８に示すように、換気フード１３を包囲するように側面シート２〜５を立ち上げる。そして、第１実施形態と同様に、側面シート２〜５の間で、テープ面２ａと４ａと、２ｂと５ａと、３ａと４ｂと、３ｂと５ｂとをそれぞれ当接係合させ、上面シート６と側面シート３〜５との間で、テープ面６ｃと４ｃと、６ｄと５ｃと、６ａと３ｃと、６ｂと３ｄとをそれぞれ当接係合させることにより、図９に示す最終的な梱包状態が得られる。
【００３２】
なお、上述の各実施形態では、可撓性シート１を局所的に仮留めするための仮留め部材としてマジックテープを用いているが、これに限定されることなく、たとえばボタン留めのような他の適当な仮留め手段を用いることができる。
【００３３】
また、上述の各実施形態では、コンロや換気フードの包装に本発明を適用しているが、これに限定されることなく、たとえば電子レンジ、炊飯器、テレビ、ビデオデッキ、ストーブ、プリンタ、ファクシミリ機、システムキッチンのキャビネット、吊り戸棚、収納庫などの物品の包装に本発明を適用することができる。
【００３４】
【発明の効果】
以上説明したように、本発明では、多数回に亘ってリユースすることができ、たとえば片手でマジックテープのような仮留め部材を順次機能させるだけで、梱包作業を容易に行うことができ、ひいては開梱作業も容易に行うことができる。また、不使用時には包装装置を小さく折り畳むことができ、場合によっては複数の梱包物を縦積みすることもできる。
【００３５】
また、本発明では、たとえばコンロのように本体と付属品とから構成される物品の場合、リユース可能な材料で形成された保持部材を用いて付属品を取付け保持することにより、梱包作業を容易に行うことができ、ひいては開梱作業も容易に行うことができる。この場合、たとえばマジックテープのような仮留め部材の作用により、底面シート、側面シートまたは上面シートに対して保持部材を局所的に仮留めすることにより、安定的な搬送作業を行うことができる。
【００３６】
さらに、本発明では、４つの側面シートのうちの対向する一対の側面シートに手掛け部を設けることにより、手掛け部に手を掛けて包装装置を抱え持つことができ、梱包物の取り扱いが容易になる。また、本発明では、底面シート、４つの側面シートおよび上面シートの内側面に緩衝部材を設けることにより、物品に伝わる衝撃を和らげることができ、ひいては物品を安全に搬送することができる。
【００３７】
また、本発明では、たとえばＰＥのようなリサイクル可能な樹脂材料で可撓性の上面シートを形成し、たとえばＰＰのようなリサイクル可能な樹脂材料で面剛性を有する側面シートを形成することにより、いわゆる自然にやさしいリサイクル可能な包装装置を実現することができる。さらに、本発明では、上面シートの少なくとも一部を透明または半透明に形成することにより、梱包後にも中身を目視で確認することができる。
【００３８】
さらに、本発明では、包装装置の構成形状が従来に比して非常に簡素であるため、機種ごとの梱包設計や検証が不要となり、コスト低減に資することになる。また、保持部材を包装装置の内側に仮留めするので、保持部材が動かず本体であるコンロを押圧して抑え、良好で安定的な包装を行うことができる。
【図面の簡単な説明】
【図１】本発明の第１実施形態にかかる包装装置の平面状に展開された状態を示す図である。
【図２】第１実施形態の包装装置においてコンロの付属品を取付け保持するための保持部材の構成を概略的に示す図である。
【図３】第１実施形態における保持部材の使用を説明する図である。
【図４】第１実施形態の包装装置における梱包作業を説明する図である。
【図５】第１実施形態の包装装置を用いて梱包が終了する直前の状態を示す図である。
【図６】第１実施形態の包装装置を用いて梱包が終了した状態を示す図である。
【図７】本発明の第２実施形態にかかる包装装置の平面状に展開された状態を示す図である。
【図８】第２実施形態の包装装置における梱包作業を説明する図である。
【図９】第２実施形態の包装装置を用いて梱包が終了した状態を示す図である。
【符号の説明】
１  底面シート
２〜５  側面シート
６  上面シート
７  手掛け部
８  緩衝部材
１０  保持部材
１１  コンロ本体
１２  コンロの付属品
１３  換気フード
【図１】
0004119685.tif 000002
【図２】
0004119685.tif 000003
【図３】
0004119685.tif 000004
【図４】
0004119685.tif 000005
【図５】
0004119685.tif 000006
【図６】
0004119685.tif 000007
【図７】
0004119685.tif 000008
【図８】
0004119685.tif 000009
【図９】
0004119685.tif 000010